(57)【要約】【課題】データ伝送の優先順位が高い端末ほど基地局に対する上り伝送レートを高く割り当てる処理の時間を短縮することを課題とする。【解決手段】電力制御装置は、データ伝送の優先順位が高い端末ほど基地局に対する上り伝送レートを高く割り当てるために、処理対象端末よりも伝送優先順位が高い端末のみの伝送レートと、処理対象端末の伝送レートとを比較して、処理対象端末の伝送レートが高い場合に、当該処理対象端末から基地局に対する許容送信電力を下げる。【選択図】        図２
2010021655.tif 000002
【特許請求の範囲】
【請求項１】
複数の端末から基地局に対するデータ伝送の優先順位である伝送優先順位が処理対象端末よりも高い端末の伝送レートと、当該処理対象端末の伝送レートとを比較する伝送レート比較処理を、各端末を処理対象として実施する伝送レート比較工程と、
前記伝送レート比較工程によって比較された結果に基づいて、前記伝送優先順位が高い端末ほど伝送レートが高くなるように、前記複数の端末から基地局に送信できる電力である許容送信電力を制御する電力制御工程と、
を含んだことを特徴とする電力制御方法。
【請求項２】
前記伝送レート比較工程は、前記伝送優先順位が処理対象端末よりも高い端末における前記伝送優先順位ごとの最小伝送レートと、当該処理対象端末の伝送レートとを比較する伝送レート比較処理を、各端末を処理対象として実施することを含んだことを特徴とする請求項１に記載の電力制御方法。
【請求項３】
前記伝送レート比較工程は、前記伝送優先順位が処理対象端末よりも高い端末における最小伝送レートと、当該処理対象端末の伝送レートとを比較する伝送レート比較処理を、各端末を処理対象として実施することを含んだことを特徴とする請求項１に記載の電力制御方法。
【請求項４】
前記複数の端末から基地局に対する伝送レートを算出する伝送レート算出工程と、
前記伝送優先順位に対応付けて、前記複数の端末ごとに、前記伝送レート算出工程によって算出された伝送レートを第一の記憶部に格納する伝送レート格納工程と、をさらに含み、
前記伝送レート比較工程は、前記伝送レート格納工程によって第一の記憶部に格納された伝送優先順位が、前記処理対象端末よりも高い端末の伝送レートと、当該処理対象端末の伝送レートとを比較する伝送レート比較処理を、各端末を処理対象として実施することを含んだことを特徴とする請求項１に記載の電力制御方法。
【請求項５】
複数の端末から基地局に対するデータ伝送の優先順位である伝送優先順位が処理対象端末よりも高い端末の伝送レートと、当該処理対象端末の伝送レートとを比較する伝送レート比較処理を、各端末を処理対象として実施する伝送レート比較手段と、
前記伝送レート比較手段によって比較された結果に基づいて、前記伝送優先順位が高い端末ほど伝送レートが高くなるように、前記複数の端末から基地局に送信できる電力である許容送信電力を制御する電力制御手段と、
を有することを特徴とする電力制御装置。
【発明の詳細な説明】
【技術分野】
【０００１】
本発明は、電力制御方法および電力制御装置に関する。
【背景技術】
【０００２】
基地局と端末とで無線通信を行うシステムにおいて、基地局は、各端末から基地局に対して許容して送信される電力である許容送信電力を制御することにより、当該基地局の管理主体にある複数の端末から基地局に対する上り伝送レートを割り当てている。そして、各端末は、割り当てられた上り伝送レートに従って基地局に対してデータを伝送する。
【０００３】
各端末から基地局に対する上り伝送レートは、各端末において決められているデータ伝送の優先順位が高い端末ほど高く割り当てられるのが一般的である。そして、このように、端末から基地局に対する上り伝送レートを伝送優先順位が高い端末ほど高く割り当てるための様々な技術が開示されている（例えば、特許文献１参照）。
【０００４】
【特許文献１】特開２００６−２３８０３７号公報
【発明の開示】
【発明が解決しようとする課題】
【０００５】
しかしながら、上述した従来の技術は、データ伝送の優先順位が高い端末ほど基地局に対する上り伝送レートを高く割り当てる処理に時間がかかってしまうという課題があった。
【０００６】
具体的に説明すると、基地局は、処理対象端末の伝送レートを算出し、全ての端末を探索することにより、当該基地局の管理主体に存在し、当該処理対象端末の伝送優先順位よりも高い端末を検出する。そして、基地局は、全ての端末の中から検出された端末の基地局に対する上り伝送レートを算出して、算出された処理対象端末の伝送レートと検出された端末の伝送レートとを比較する。
【０００７】
続いて、基地局は、比較の結果、処理対象端末の伝送レートよりも検出された端末の伝送レートが低い場合に、処理対象端末の許容送信電力を下げるために、当該処理対象端末に対する許容送信電力を下げる制御を行う。なお、基地局は、全ての端末について上記処理を実施することにより、全ての端末においてデータ伝送の優先順位が高い端末ほど基地局に対する上り伝送レートを高く割り当てている。
【０００８】
そして、基地局の管理主体にある全ての端末について、上記処理を繰り返し実施する結果、処理量が膨大になるとともに処理負荷がかかってしまい、全体での処理時間がかかってしまう。
【０００９】
そこで、本発明は、上述した従来技術の課題を解決するためになされたものであり、データ伝送の優先順位が高い端末ほど基地局に対する上り伝送レートを高く割り当てる処理の時間を短縮することが可能である電力制御方法および電力制御装置を提供することを目的とする。
【課題を解決するための手段】
【００１０】
上述した課題を解決し、目的を達成するため、本願の開示する電力制御装置は、複数の端末から基地局に対するデータ伝送の優先順位である伝送優先順位が処理対象端末よりも高い端末の伝送レートと、当該処理対象端末の伝送レートとを比較する伝送レート比較処理を、各端末を処理対象として実施する伝送レート比較手段と、前記伝送レート比較手段によって比較された結果に基づいて、前記伝送優先順位が高い端末ほど伝送レートが高くなるように、前記複数の端末から基地局に送信できる電力である許容送信電力を制御する電力制御手段と、を有することを要件とする。
【発明の効果】
【００１１】
本願の開示する電力制御方法によれば、データ伝送の優先順位が高い端末ほど基地局に対する上り伝送レートを高く割り当てる処理の時間を短縮することが可能であるという効果を奏する。
【発明を実施するための最良の形態】
【００１２】
以下に、添付図面を参照して実施例を詳細に説明する。
【実施例１】
【００１３】
［電力制御装置の概要］
図１は、実施例１に係る電力制御装置の概要を説明するための図である。
【００１４】
本願の開示する電力制御装置は、図１に示すように、例えば、基地局と複数の端末（端末＃１〜端末＃ｍ）とが無線通信可能なシステム内に配置され、基地局におけるベースバンド信号処理部（ＢＢ）に含まれる。そして、基地局は、当該基地局を管理主体とする複数の端末（端末＃１〜端末＃ｍ）を制御している。また、各端末には、各端末と基地局との無線通信を優先的に行うことができる順位である伝送優先順位が予め決められている。一般的には、高い伝送優先順位を持つ端末ほど高い伝送レートを有している。なお、図１に示す基地局と端末との全体構成については、公知の技術であるためその説明を省略する。
【００１５】
上記構成において、電力制御装置は、複数の端末から基地局に対するデータ伝送の優先順位である伝送優先順位が、処理対象端末よりも高い端末の伝送レートと、当該処理対象端末の伝送レートとを比較する伝送レート比較処理を、各端末を処理対象として実施する。そして、電力制御装置は、比較された結果に基づいて、伝送優先順位が高い端末ほど伝送レートが高くなるように、複数の端末から基地局に送信できる電力である許容送信電力を制御する。
【００１６】
具体的には、電力制御装置は、データ伝送の優先順位が高い端末ほど基地局に対する上り伝送レートを高く割り当てるために、処理対象端末よりも伝送優先順位が高い端末のみの伝送レートと、処理対象端末の伝送レートとを比較する。そして、電力制御装置は、比較の結果、処理対象端末の伝送レートが高い場合に、当該処理対象端末の許容送信電力を下げる。
【００１７】
上述したように、電力制御装置は、データ伝送の優先順位が高い端末ほど基地局に対する上り伝送レートを高く割り当てるために、処理対象端末よりも伝送優先順位が高い端末のみの伝送レートを比較対象として伝送レートを割り当てる処理を、各端末を処理対象として実施するので、データ伝送の優先順位が高い端末ほど基地局に対する上り伝送レートを高く割り当てる処理の時間を短縮することが可能である。
【００１８】
［実施例１に係る電力制御装置の構成］
図２は、実施例１に係る電力制御装置の構成を示す図である。なお、以下の説明では、図１に示したような電力制御装置を有する基地局の管理主体にある端末＃１〜端末＃ｍの基地局に対する許容送信電力を制御する場合について説明する。
【００１９】
図２に示すように、電力制御装置１０は、記憶部２０と、制御部３０とを有する。そして、電力制御装置１０は、複数の端末（端末＃１〜端末＃ｍ）と基地局とにおいて無線通信が行われる場合に、データ伝送の優先順位が高い端末ほど、基地局に対する上り伝送レートを高く割り当てる処理を行う。なお、データ伝送の優先順位は、各端末において予め決められており、当該各端末の伝送レートは、伝送優先順位に従って、高い伝送優先順位を有する端末ほど高く決定される。
【００２０】
記憶部２０は、制御部３０による各種処理に必要なデータや、制御部３０による各種処理結果を記憶し、特に、伝送レート記憶部２１を有する。
【００２１】
伝送レート記憶部２１は、複数の端末から基地局に対するデータ伝送の優先順位である伝送優先順位に対応付けて、複数の端末ごとに、後述する伝送レート算出部３１によって算出された伝送レートを記憶する。
【００２２】
具体的には、伝送レート記憶部２１は、図３に示すように、複数の端末（端末＃１〜端末＃ｍ）から基地局に対するデータ伝送の優先順位である伝送優先順位「１〜ｎ」に対応付けて、当該複数の端末を一意に識別する識別子である端末番号「１〜ｍ」ごとに、後述する伝送レート算出部３１によって算出された伝送レートを記憶する。
【００２３】
例えば、伝送レート記憶部２１は、図３に示すように、端末＃１から基地局に対するデータ伝送の優先順位である伝送優先順位「３」に対応付けて、当該端末を一意に識別する識別子である端末番号「１」に、後述する伝送レート算出部３１によって算出された伝送レート「ｃ１」を記憶する。
【００２４】
端末は、許容送信電力から算出される伝送レート以下のレートで基地局と無線通信を行う。つまり、伝送レートは、端末側から送信されるデータ量が少ない場合には端末の許容送信電力が高くても必然的に低くなる。また、許容送信電力から算出される伝送レートは、図３に示すように、伝送優先順位が同じ端末が複数存在し、当該端末ごとに伝送レートが一つずつ存在する（データ伝送は当該伝送レート以下で行われる）。また、各端末の伝送レートは、同じであっても異なっていても良い。なお、図３は、実施例１に係る伝送レート記憶部２１に記憶される情報の例を示す図である。
【００２５】
制御部３０は、制御プログラム、各種の処理手順などを規定したプログラムおよび所要データを格納するための内部メモリを有するとともに、特に、伝送レート算出部３１と、伝送優先順位判定部３２と、伝送レート比較部３３と、電力制御部３４とを有し、これらによって種々の処理を実行する。
【００２６】
伝送レート算出部３１は、複数の端末から基地局に対する伝送レートを算出する。具体的に説明すると、伝送レート算出部３１は、端末＃１（端末番号「１」）と基地局とにおいて無線通信が行われる場合に、当該端末＃１から基地局に対する伝送レート「ｃ１」を算出する。なお、伝送レート算出部３１は、上記伝送レート算出処理を全ての端末（端末＃１〜端末＃ｍ）について実施する。
【００２７】
伝送優先順位判定部３２は、伝送レート算出部３１によって伝送レートが算出された複数の端末から基地局に対するデータ伝送の優先順位である伝送優先順位を判定して、判定された伝送優先順位と、伝送レート算出部３１によって算出された伝送レートとを伝送レート記憶部２１に格納する。
【００２８】
上述した例で具体的に説明すると、伝送優先順位判定部３２は、伝送レート算出部３１によって伝送レートが算出された端末＃１から基地局に対するデータ伝送の優先順位である伝送優先順位「３」を判定する。
【００２９】
そして、伝送優先順位判定部３２は、判定された伝送優先順位「３」と、伝送レート算出部３１によって算出された端末＃１の伝送レート「ｃ１」とを伝送レート記憶部２１に格納する。なお、伝送優先順位判定部３２は、上記伝送優先順位判定処理を全ての端末（端末＃１〜端末＃ｍ）について実施する。
【００３０】
伝送レート比較部３３は、伝送優先順位判定部３２によって伝送レート記憶部２１に格納された伝送優先順位が、処理対象端末よりも高い端末の伝送レートと、当該処理対象端末の伝送レートとを比較する伝送レート比較処理を、各端末を処理対象として実施する。
【００３１】
上述した例で具体的に説明すると、伝送レート比較部３３は、伝送優先順位判定部３２によって伝送レート記憶部２１に格納された伝送優先順位が、処理対象とする端末である処理対象端末＃１（伝送優先順位「３」）よりも高い端末＃２（伝送優先順位「１」）の伝送レート「ａ１」と、当該処理対象端末＃１の伝送レート「ｃ１」とを比較する。
【００３２】
また、伝送レート比較部３３は、処理対象端末＃１よりも伝送優先順位が高い端末＃５の伝送レート「ｂ１」、同様に、「ａ２」、「ｂ２」、「ｂ３」、「ｂｍ２」および「ａｍ１」などについても比較する。なお、伝送レート比較部３３は、上記伝送レート比較処理を、各端末（端末＃１〜端末＃ｍ）を処理対象端末として実施する。
【００３３】
つまり、伝送レート比較部３３は、図４に示すように、例えば、処理対象端末を端末＃３、当該端末＃３の伝送優先順位を「Ａ」とした場合に、当該伝送優先順位「Ａ」よりも高い伝送優先順位「１〜３」にある全ての端末の伝送レート（図４に示した網掛け部分にある端末の伝送レート）と、端末＃３の伝送レートとを比較する。
【００３４】
さらに詳細に説明すると、伝送レート比較部３３は、例えば、端末＃３の伝送優先順位「Ａ」よりも高い伝送優先順位である端末＃１、端末＃２、端末＃５および端末＃６などの伝送レート「ｃ１」、「ａ１」、「ｂ１」および「ｃ２」と、端末＃３の伝送レート「ｄ１」とを比較する。なお、図４は、実施例１に係る処理対象端末の伝送優先順位が「Ａ」である場合に比較される端末の伝送レートを説明するための図である。
【００３５】
電力制御部３４は、伝送レート比較部３３によって比較された結果に基づいて、伝送優先順位が高い端末ほど伝送レートが高くなるように、複数の端末から基地局に対して送信できる電力である許容送信電力を制御する。
【００３６】
上述した例で具体的に説明すると、電力制御部３４は、伝送レート比較部３３による処理対象端末＃１の伝送レート「ｃ１」と、端末＃２の伝送レート「ａ１」との比較の結果、伝送レート「ｃ１」が伝送レート「ａ１」よりも高い場合に、当該処理対象端末＃１から基地局に対する許容送信電力を下げる。なお、電力制御部３４は、伝送レート「ｃ１」が伝送レート「ａ１」よりも低い場合に、端末＃２に対する電力制御処理を終了する。
【００３７】
また、電力制御部３４は、端末＃２に対する電力制御処理が終了し、伝送レート比較部３３による処理対象端末＃１の伝送レート「ｃ１」と、端末＃５の伝送レート「ｂ１」との比較の結果、伝送レート「ｃ１」が伝送レート「ｂ１」よりも高い場合に、当該処理対象端末＃１から基地局に対する許容送信電力を下げる。なお、電力制御部３４は、伝送レート「ｃ１」が伝送レート「ｂ１」よりも低い場合に、端末＃５に対する電力制御処理を終了する。
【００３８】
要するに、電力制御装置１０は、伝送レート比較の結果、許容送信電力を下げるまたは伝送優先順位が高い端末ほど伝送レートが高くなっている場合に、電力制御処理を終了し、次の端末について伝送レート比較処理および電力制御処理を実施していく。言い換えると、電力制御装置１０は、毎フレーム（毎Ｓｕｂｆｒａｍｅ）で上記処理を実施し、必要以上に電力を下げることなく、伝送優先順位が高い端末ほど伝送レートが高くなるように許容送信電力を制御する。
【００３９】
［実施例１に係る電力制御処理］
次に、図５を用いて、実施例１に係る電力制御処理の流れを説明する。図５は、実施例１に係る電力制御処理の流れを示すフローチャートである。
【００４０】
図５に示すように、電力制御装置１０は、例えば、基地局の管理主体にある端末＃１から伝送データが入力されると（ステップＳ１０１肯定）、当該端末＃１から基地局に対する伝送レート「ｃ１」を算出する（ステップＳ１０２）。
【００４１】
そして、電力制御装置１０は、伝送レートが算出された端末＃１から基地局に対するデータ伝送の優先順位である伝送優先順位「３」を判定して、判定された伝送優先順位「３」と、算出された端末＃１の伝送レート「ｃ１」とを伝送レート記憶部２１に格納する（ステップＳ１０３）。
【００４２】
続いて、電力制御装置１０は、基地局の管理主体にある全ての端末（端末＃１〜端末＃ｍ）の伝送レートを算出した場合に（ステップＳ１０４肯定）、伝送レート記憶部２１に格納された伝送優先順位が、処理対象端末＃１よりも高い端末＃２の伝送レート「ａ１」と、当該処理対象端末＃１の伝送レート「ｃ１」とを比較する（ステップＳ１０５）。
【００４３】
その後、電力制御装置１０は、比較の結果、端末＃２の伝送レート「ａ１」が処理対象端末＃１の伝送レート「ｃ１」よりも低い場合に（ステップＳ１０６肯定）、当該処理対象端末＃１から基地局に対する許容送信電力を下げる（ステップＳ１０７）。
【００４４】
そして、電力制御装置１０は、端末＃１の電力制御処理後に、各端末（端末＃１〜端末＃ｍ）を処理対象端末として上記伝送レート比較処理を実施したか否かを判定して（ステップＳ１０９）、各端末を処理対象端末として伝送レートを比較した場合に（ステップＳ１０９肯定）、処理を終了する。なお、電力制御装置１０は、各端末を処理対象端末として伝送レートを比較していない場合に（ステップＳ１０９否定）、各端末を処理対象端末としてステップＳ１０５の処理を実施する。
【００４５】
また、電力制御装置１０は、ステップＳ１０６において、端末＃２の伝送レート「ａ１」が処理対象端末＃１の伝送レート「ｃ１」よりも高い場合に（ステップＳ１０６否定）、当該処理対象端末＃１よりも伝送優先順位が高い全ての端末の伝送レートと比較したか否かを判定する（ステップＳ１０８）。
【００４６】
そして、電力制御装置１０は、処理対象端末＃１よりも伝送優先順位が高い全ての端末の伝送レートと比較していない場合に（ステップＳ１０８否定）、ステップＳ１０５の処理を実施する（端末＃５の伝送レート「ｂ１」と比較）。また、電力制御装置１０は、処理対象端末＃１よりも伝送優先順位が高い全ての端末の伝送レートと比較した場合に（ステップＳ１０８肯定）、ステップＳ１０９の処理を実施する。
【００４７】
なお、電力制御装置１０は、基地局の管理主体にある全ての端末の伝送レートを算出していない場合に（ステップＳ１０４否定）、ステップＳ１０２の処理（伝送レート算出処理）を実施することとなる。
【００４８】
［実施例１による効果］
上述したように、実施例１に係る電力制御装置１０は、処理対象端末よりも伝送優先順位が高い端末のみの伝送レートと、処理対象端末の伝送レートとを比較する処理を、各端末を処理対象端末として実施して許容送信電力を制御するので、データ伝送の優先順位が高い端末ほど基地局に対する上り伝送レートを高く割り当てる処理の時間を短縮することが可能である。
【００４９】
例えば、電力制御装置１０は、処理対象端末＃１よりも伝送優先順位が高い端末＃２の伝送レート「ａ１」と、当該処理対象端末＃１の伝送レート「ｃ１」とを比較する。そして、電力制御装置１０は、比較の結果、伝送レート「ｃ１」が伝送レート「ａ１」よりも高い場合に、処理対象端末＃１から基地局に対する許容送信電力を下げる。この結果、電力制御装置１０は、処理対象端末と全ての端末との伝送優先順位を比較し、処理対象端末よりも伝送優先順位が高い端末の伝送レートと、処理対象端末の伝送レートとを比較する処理を、各端末について実施する従来技術と比較して、データ伝送の優先順位が高い端末ほど基地局に対する上り伝送レートを高く割り当てる処理の時間を短縮することが可能である。
【００５０】
また、電力制御装置１０は、データ伝送の優先順位が高い端末ほど基地局に対する上り伝送レートを高く割り当てる処理の時間を短縮することができる結果、基地局にかかる処理負荷を軽減することが可能である。
【実施例２】
【００５１】
ところで、上記実施例１では、処理対象端末よりも伝送優先順位が高い端末の伝送レートと、当該処理対象端末の伝送レートとを比較して許容送信電力を制御する場合を説明したが、本発明はこれに限定されるものではなく、処理対象端末よりも伝送優先順位が高い端末の伝送優先順位ごとの最小伝送レートと、当該処理対象端末の伝送レートとを比較して許容送信電力を制御することもできる。
【００５２】
そこで、以下の実施例２では、図６〜図９を用いて、実施例２に係る電力制御装置１０による処理を説明する。なお、実施例２では、実施例１と同様に、電力制御装置を有する基地局の管理主体にある端末＃１〜端末＃ｍの基地局に対する上り伝送レートを制御する場合について説明する。
【００５３】
［実施例２に係る電力制御装置の構成］
図６は、実施例２に係る電力制御装置１０の構成を示す図である。なお、実施例２に係る電力制御装置１０の一部の構成や機能などは、実施例１と同様であるためその説明を省略し、特に、実施例１とは異なる最小伝送レート記憶部２２と、最小伝送レート抽出部３５と、伝送レート比較部３３とについて説明する。
【００５４】
最小伝送レート記憶部２２は、伝送優先順位に対応付けて、当該伝送優先順位ごとの最小伝送レートを記憶している。具体的には、最小伝送レート記憶部２２は、図７に示すように、伝送優先順位「１〜ｎ」に対応付けて、当該伝送優先順位「１〜ｎ」それぞれの順位にある端末の伝送優先順位ごとの最小伝送レートを記憶している。
【００５５】
例えば、最小伝送レート記憶部２２は、図７に示すように、伝送優先順位「１」に対応付けて、当該伝送優先順位「１」における最小伝送レート「ｍｉｎ＿ａ」を記憶している。また、例えば、最小伝送レート記憶部２２は、図７に示すように、伝送優先順位「２」に対応付けて、当該伝送優先順位「２」における最小伝送レート「ｍｉｎ＿ｂ」を記憶している。
【００５６】
図７に示した伝送優先順位「１」における最小伝送レート「ｍｉｎ＿ａ」は、例えば、図３に示した伝送優先順位「１」における伝送レート「ａ１」、「ａ２」および「ａｍ１」のうちの最小値の伝送レートを示している。
【００５７】
同様に、図７に示した伝送優先順位「２」における最小伝送レート「ｍｉｎ＿ｂ」は、例えば、図３に示した伝送優先順位「２」における伝送レート「ｂ１」、「ｂ２」、「ｂ３」および「ｂｍ２」のうちの最小値の伝送レートを示している。なお、図７は、実施例２に係る最小伝送レート記憶部２２に記憶される情報の例を示す図である。
【００５８】
最小伝送レート抽出部３５は、伝送優先順位に対応付けて、当該伝送優先順位ごとの最小伝送レートを最小伝送レート記憶部２２に格納する。具体的に説明すると、最小伝送レート抽出部３５は、伝送レート記憶部２１に格納された情報に基づいて、伝送優先順位「１」に対応付けて、当該伝送優先順位「１」の最小伝送レート「ｍｉｎ＿ａ」を最小伝送レート記憶部２２に格納する。なお、最小伝送レート抽出部３５は、上記最小伝送レート抽出処理を、各伝送優先順位について実施する。
【００５９】
伝送レート比較部３３は、伝送優先順位が、処理対象端末よりも高い端末における伝送優先順位ごとの最小伝送レートと、当該処理対象端末の伝送レートとを比較する伝送レート比較処理を、各端末を処理対象として実施する。
【００６０】
上述した例で具体的に説明すると、伝送レート比較部３３は、最小伝送レート記憶部２２に格納された伝送優先順位が、処理対象端末＃１（伝送優先順位「３」）よりも高い端末における伝送優先順位「１」の最小伝送レート「ｍｉｎ＿ａ」と、当該処理対象端末＃１の伝送レート「ｃ１」とを比較する。
【００６１】
また、伝送レート比較部３３は、最小伝送レート記憶部２２に格納された伝送優先順位が、処理対象端末＃１（伝送優先順位「３」）よりも高い端末における伝送優先順位「２」の最小伝送レート「ｍｉｎ＿ｂ」と、当該処理対象端末＃１の伝送レート「ｃ１」とを比較する。なお、伝送レート比較部３３は、上記伝送レート比較処理を、各端末（端末＃１〜端末＃ｍ）を処理対象端末として実施する。
【００６２】
つまり、伝送レート比較部３３は、図８に示すように、例えば、処理対象端末を端末＃３、当該処理対象端末＃３の伝送優先順位を「Ａ」とした場合に、当該伝送優先順位「Ａ」よりも高い伝送優先順位「１〜３」ごとの最小伝送レート（図８に示した網掛け部分にある伝送優先順位ごとの最小伝送レート）と、端末＃３の伝送レートとを比較する。
【００６３】
さらに詳細に説明すると、伝送レート比較部３３は、例えば、端末＃３の伝送優先順位「Ａ」よりも高い伝送優先順位「１」、「２」および「３」ごとの複数の端末間における最小伝送レート「ｍｉｎ＿ａ」、「ｍｉｎ＿ｂ」および「ｍｉｎ＿ｃ」と、当該端末＃３の伝送レート「ｄ１」とをそれぞれ比較する。なお、図８は、実施例２に係る処理対象端末の伝送優先順位が「Ａ」である場合に比較される端末の伝送レートを説明するための図である。
【００６４】
そして、電力制御部３４は、伝送レート比較部３３による処理対象端末＃１の伝送レート「ｃ１」と、伝送優先順位「１」の最小伝送レート「ｍｉｎ＿ａ」との比較の結果、伝送レート「ｃ１」が最小伝送レート「ｍｉｎ＿ａ」よりも高い場合に、当該処理対象端末＃１から基地局に対する許容送信電力を下げる。なお、電力制御部３４は、伝送レート「ｃ１」が最小伝送レート「ｍｉｎ＿ａ」よりも低い場合に、伝送優先順位「１」に対する電力制御処理を終了する。
【００６５】
また、電力制御部３４は、伝送優先順位「１」に対する電力制御処理が終了し、伝送レート比較部３３による処理対象端末＃１の伝送レート「ｃ１」と、伝送優先順位「２」の最小伝送レート「ｍｉｎ＿ｂ」との比較の結果、伝送レート「ｃ１」が最小伝送レート「ｍｉｎ＿ｂ」よりも高い場合に、当該処理対象端末＃１から基地局に対する許容送信電力を下げる。なお、電力制御部３４は、伝送レート「ｃ１」が伝送レート「ｍｉｎ＿ｂ」よりも低い場合に、伝送優先順位「２」に対する電力制御処理を終了する。
【００６６】
要するに、電力制御装置１０は、伝送レートの比較の結果、許容送信電力を下げるまたは伝送優先順位が高い端末ほど伝送レートが高くなっている場合に、電力制御処理を終了し、次の端末について伝送レート比較処理および電力制御処理を実施していく。言い換えると、電力制御装置１０は、毎フレーム（毎Ｓｕｂｆｒａｍｅ）で上記処理を実施し、必要以上に電力を下げることなく、伝送優先順位が高い端末ほど伝送レートが高くなるように許容送信電力を制御する。
【００６７】
つまり、電力制御装置１０は、データ伝送の優先順位が高い端末ほど基地局に対する上り伝送レートを高く割り当てるために、処理対象端末よりも伝送優先順位が高い端末の、当該伝送優先順位ごとの最小伝送レートと、処理対象端末の伝送レートとを比較して、処理対象端末の伝送レートが高い場合に、当該処理対象端末の許容送信電力を下げることができる結果、データ伝送の優先順位が高い端末ほど基地局に対する上り伝送レートを高く割り当てる処理の時間をさらに短縮することが可能である。
【００６８】
［実施例２に係る電力制御処理］
図９は、実施例２に係る電力制御処理の流れを示すフローチャートである。
【００６９】
図９に示すように、電力制御装置１０は、例えば、基地局の管理主体にある端末＃１から伝送データが入力されると（ステップＳ２０１肯定）、当該端末＃１から基地局に対する伝送レート「ｃ１」を算出する（ステップＳ２０２）。
【００７０】
そして、電力制御装置１０は、伝送レートが算出された端末＃１から基地局に対するデータ伝送の優先順位である伝送優先順位「３」を判定して、判定された伝送優先順位「３」と、算出された端末＃１の伝送レート「ｃ１」とを伝送レート記憶部２１に格納する（ステップＳ２０３）。
【００７１】
続いて、電力制御装置１０は、基地局の管理主体にある全ての端末（端末＃１〜端末＃ｍ）の伝送レートを算出した場合に（ステップＳ２０４肯定）、伝送レート記憶部２１に格納された情報に基づいて、伝送優先順位ごとの最小伝送レートを抽出して最小伝送レート記憶部２２に格納する（ステップＳ２０５）。
【００７２】
その後、電力制御装置１０は、最小伝送レート記憶部２２に格納された伝送優先順位が、処理対象端末＃１よりも高い伝送優先順位「１」の最小伝送レート「ｍｉｎ＿ａ」と、当該処理対象端末＃１の伝送レート「ｃ１」とを比較する（ステップＳ２０６）。
【００７３】
そして、電力制御装置１０は、比較の結果、伝送優先順位「１」の最小伝送レート「ｍｉｎ＿ａ」が処理対象端末＃１の伝送レート「ｃ１」よりも低い場合に（ステップＳ２０７肯定）、当該処理対象端末＃１から基地局に対する許容送信電力を下げる（ステップＳ２０８）。
【００７４】
続いて、電力制御装置１０は、端末＃１の電力制御処理後に、各端末（端末＃１〜端末＃ｍ）を処理対象端末として上記伝送レート比較処理を実施したか否かを判定して（ステップＳ２１０）、各端末を処理対象端末として伝送レートを比較した場合に（ステップＳ２１０肯定）、処理を終了する。なお、電力制御装置１０は、各端末を処理対象端末として伝送レートを比較していない場合に（ステップＳ２１０否定）、各端末を処理対象端末としてステップＳ２０６の処理を実施する。
【００７５】
また、電力制御装置１０は、ステップＳ２０７において、伝送優先順位「１」の最小伝送レート「ｍｉｎ＿ａ」が処理対象端末＃１の伝送レート「ｃ１」よりも高い場合に（ステップＳ２０７否定）、当該処理対象端末＃１よりも伝送優先順位が高い全ての最小伝送レートと比較したか否かを判定する（ステップＳ２０９）。
【００７６】
そして、電力制御装置１０は、処理対象端末＃１よりも伝送優先順位が高い全ての最小伝送レートと比較していない場合に（ステップＳ２０９否定）、ステップＳ２０６の処理を実施する（伝送優先順位「２」や「３」などの最小伝送レートと比較）。また、電力制御装置１０は、処理対象端末＃１よりも伝送優先順位が高い全ての最小伝送レートと比較した場合に（ステップＳ２０９肯定）、ステップＳ２１０の処理を実施する。
【００７７】
なお、電力制御装置１０は、基地局の管理主体にある全ての端末の伝送レートを算出していない場合に（ステップＳ２０４否定）、ステップＳ２０２の処理（伝送レート算出処理）を実施することとなる。
【００７８】
［実施例２による効果］
上述したように、実施例２によれば、電力制御装置１０は、処理対象端末よりも伝送優先順位が高い伝送優先順位ごとの最小伝送レートと、処理対象端末の伝送レートとを比較する処理を、各端末を処理対象端末として実施して許容送信電力を制御するので、データ伝送の優先順位が高い端末ほど基地局に対する上り伝送レートを高く割り当てる処理の時間をさらに短縮することが可能である。
【００７９】
また、電力制御装置１０は、データ伝送の優先順位が高い端末ほど基地局に対する上り伝送レートを高く割り当てる処理の時間をさらに短縮することができる結果、基地局にかかる処理負荷をさらに軽減することが可能である。
【実施例３】
【００８０】
ところで、上記実施例２では、処理対象端末よりも伝送優先順位が高い端末の伝送優先順位ごとの最小伝送レートと、当該処理対象端末の伝送レートとを比較して許容送信電力を制御する場合を説明したが、本発明はこれに限定されるものでなく、処理対象端末よりも伝送優先順位が高い端末の伝送優先順位以上における最小伝送レートと、当該処理対象端末の伝送レートとを比較して許容送信電力を制御することもできる。
【００８１】
そこで、以下の実施例３では、図１０〜図１２を用いて、実施例３に係る電力制御装置１０による処理を説明する。なお、実施例３では、実施例１および実施例２と同様に、電力制御装置を有する基地局の管理主体にある端末＃１〜端末＃ｍの基地局に対する上り伝送レートを制御する場合について説明する。
【００８２】
［実施例３に係る電力制御装置の構成］
最初に、実施例３に係る電力制御装置１０の構成を説明する。なお、実施例３に係る電力制御装置１０の構成や一部の機能などは、実施例２と同様であるためその説明を省略し、特に、実施例２とは異なる最小伝送レート記憶部２２と、最小伝送レート抽出部３５と、伝送レート比較部３３とについて説明する。
【００８３】
最小伝送レート記憶部２２は、伝送優先順位に対応付けて、当該伝送優先順位以上の端末における最小伝送レートを記憶している。例えば、最小伝送レート記憶部２２は、図１０に示すように、伝送優先順位「１」に対応付けて、当該伝送優先順位「１」における最小伝送レート「ｍｉｎ＿ａ」と、当該伝送優先順位「１」以上における最小伝送レート「ｍｉｎ＿ａ」とを記憶している。
【００８４】
また、例えば、最小伝送レート記憶部２２は、伝送優先順位「２」に対応付けて、当該伝送優先順位「２」における最小伝送レート「ｍｉｎ＿ｂ」と、当該伝送優先順位「２」以上（伝送優先順位「１」と「２」）における最小伝送レート「ｍｉｎ＿ａｂ」とを記憶している。
【００８５】
図１０に示した伝送優先順位「２」における当該伝送優先順位以上の最小伝送レート「ｍｉｎ＿ａｂ」は、伝送優先順位「１」における最小伝送レート「ｍｉｎ＿ａ」と、伝送優先順位「２」における最小伝送レート「ｍｉｎ＿ｂ」とのうちの最小値の伝送レートを示している。
【００８６】
同様に、図１０に示した伝送優先順位「３」における当該伝送優先順位以上の最小伝送レート「ｍｉｎ＿ａｂｃ」は、伝送優先順位「１」における最小伝送レート「ｍｉｎ＿ａ」、伝送優先順位「２」における最小伝送レート「ｍｉｎ＿ｂ」および伝送優先順位「３」における最小伝送レート「ｍｉｎ＿ｃ」のうちの最小値の伝送レートを示している。なお、図１０は、実施例３に係る最小伝送レート記憶部２２に記憶される情報の例を示す図である。
【００８７】
最小伝送レート抽出部３５は、伝送優先順位に対応付けて、当該伝送優先順位以上の端末における最小伝送レートを最小伝送レート記憶部２２に格納する。具体的に説明すると、最小伝送レート抽出部３５は、伝送レート記憶部２１に格納された情報に基づいて、伝送優先順位「１」に対応付けて、当該伝送優先順位「１」における最小伝送レート「ｍｉｎ＿ａ」と、当該伝送優先順位「１」以上における最小伝送レート「ｍｉｎ＿ａ」とを最小伝送レート記憶部２２に格納する。なお、最小伝送レート抽出部３５は、上記最小伝送レート抽出処理を、各伝送優先順位について実施する。
【００８８】
伝送レート比較部３３は、伝送優先順位が、処理対象端末よりも高い端末における最小伝送レートと、当該処理対象端末の伝送レートとを比較する伝送レート比較処理を、各端末を処理対象として実施する。
【００８９】
上述した例で具体的に説明すると、伝送レート比較部３３は、最小伝送レート記憶部２２に格納された伝送優先順位が、処理対象端末＃１（伝送優先順位「３」）よりも高い伝送優先順位「１」および「２」の端末における最小伝送レート「ｍｉｎ＿ａｂ」と、当該処理対象端末＃１の伝送レート「ｃ１」とを比較する。
【００９０】
つまり、伝送レート比較部３３は、図１１に示すように、例えば、処理対象端末を端末＃３、当該処理対象端末＃３の伝送優先順位を「Ａ」とした場合に、当該伝送優先順位「Ａ」よりも高い伝送優先順位「１〜３」の端末における最小伝送レート（図１１に示した網掛け部分の最小伝送レート）と、端末＃３の伝送レートとを比較する。
【００９１】
さらに詳細に説明すると、伝送レート比較部３３は、例えば、端末＃３の伝送優先順位「Ａ」よりも高い伝送優先順位「１」、「２」および「３」の複数の端末間における最小伝送レート「ｍｉｎ＿ａｂｃ」と、当該処理対象端末＃３の伝送レート「ｄ１」とを比較する。なお、図１１は、実施例３に係る処理対象端末の伝送優先順位が「Ａ」である場合に比較される端末の伝送レートを説明するための図である。
【００９２】
そして、電力制御部３４は、伝送レート比較部３３による処理対象端末＃１の伝送レート「ｃ１」と、伝送優先順位「１」および「２」の端末における最小伝送レート「ｍｉｎ＿ａｂ」との比較の結果、伝送レート「ｃ１」が最小伝送レート「ｍｉｎ＿ａｂ」よりも高い場合に、当該処理対象端末＃１から基地局に対する許容送信電力を下げる。なお、電力制御部３４は、伝送レート「ｃ１」が最小伝送レート「ｍｉｎ＿ａｂ」よりも低い場合に、処理対象端末＃１に対する電力制御処理を終了する。
【００９３】
要するに、電力制御装置１０は、最小伝送レートとの比較の結果、許容送信電力を下げるまたは最小伝送レートが高い場合に、電力制御処理を終了し、次の端末について伝送レート比較処理および電力制御処理を実施していく。言い換えると、電力制御装置１０は、毎フレーム（毎Ｓｕｂｆｒａｍｅ）で上記処理を実施し、必要以上に電力を下げることなく、伝送優先順位が高い端末ほど伝送レートが高くなるように許容送信電力を制御する。
【００９４】
つまり、電力制御装置１０は、データ伝送の優先順位が高い端末ほど基地局に対する上り伝送レートを高く割り当てるために、処理対象端末よりも伝送優先順位が高い端末における最小伝送レートと、処理対象端末の伝送レートとを比較して、処理対象端末の伝送レートが高い場合に、当該処理対象端末の許容送信電力を下げることができる結果、データ伝送の優先順位が高い端末ほど基地局に対する上り伝送レートを高く割り当てる処理の時間をさらに短縮することが可能である。
【００９５】
［実施例３に係る電力制御処理］
図１２は、実施例３に係る電力制御処理の流れを示すフローチャートである。
【００９６】
図１２に示すように、電力制御装置１０は、例えば、基地局の管理主体にある端末＃１から伝送データが入力されると（ステップＳ３０１肯定）、当該端末＃１から基地局に対する伝送レート「ｃ１」を算出する（ステップＳ３０２）。
【００９７】
そして、電力制御装置１０は、伝送レートが算出された端末＃１から基地局に対するデータ伝送の優先順位である伝送優先順位「３」を判定して、判定された伝送優先順位「３」と、算出された端末＃１の伝送レート「ｃ１」とを伝送レート記憶部２１に格納する（ステップＳ３０３）。
【００９８】
続いて、電力制御装置１０は、基地局の管理主体にある全ての端末（端末＃１〜端末＃ｍ）の伝送レートを算出した場合に（ステップＳ３０４肯定）、伝送レート記憶部２１に格納された情報に基づいて、伝送優先順位ごとの最小伝送レートを抽出して最小伝送レート記憶部２２に格納する（ステップＳ３０５）。
【００９９】
その後、電力制御装置１０は、最小伝送レート記憶部２２に格納された伝送優先順位における最高伝送優先順位までの最小伝送レートを抽出して最小伝送レート記憶部２２にさらに格納する（ステップＳ３０６）。
【０１００】
そして、電力制御装置１０は、最小伝送レート記憶部２２に格納された伝送優先順位が、処理対象端末＃１よりも高い伝送優先順位「１〜２」の最小伝送レート「ｍｉｎ＿ａｂ」と、当該処理対象端末＃１の伝送レート「ｃ１」とを比較する（ステップＳ３０７）。
【０１０１】
続いて、電力制御装置１０は、比較の結果、伝送優先順位「１〜２」の最小伝送レート「ｍｉｎ＿ａｂ」が処理対象端末＃１の伝送レート「ｃ１」よりも低い場合に（ステップＳ３０８肯定）、当該処理対象端末＃１から基地局に対する許容送信電力を下げる（ステップＳ３０９）。
【０１０２】
その後、電力制御装置１０は、端末＃１の電力制御処理後に、各端末（端末＃１〜端末＃ｍ）を処理対象端末として上記最小伝送レート比較処理を実施したか否かを判定して（ステップＳ３１０）、各端末を処理対象端末として最小伝送レートと比較した場合に（ステップＳ３１０肯定）、処理を終了する。なお、電力制御装置１０は、各端末を処理対象端末として最小伝送レートと比較していない場合に（ステップＳ３１０否定）、各端末を処理対象としてステップＳ３０７の処理を実施する。
【０１０３】
また、電力制御装置１０は、ステップＳ３０８において、伝送優先順位「１〜２」の最小伝送レート「ｍｉｎ＿ａｂ」が処理対象端末＃１の伝送レート「ｃ１」よりも高い場合に（ステップＳ３０８否定）、ステップＳ３１０の処理を実施する。
【０１０４】
［実施例３による効果］
上述したように、実施例３によれば、電力制御装置１０は、処理対象端末よりも伝送優先順位が高い端末の伝送優先順位以上における最小伝送レートと、当該処理対象端末の伝送レートとを比較して許容送信電力を制御するので、データ伝送の優先順位が高い端末ほど基地局に対する上り伝送レートを高く割り当てる処理の時間をさらに短縮することが可能である。
【０１０５】
また、電力制御装置１０は、データ伝送の優先順位が高い端末ほど基地局に対する上り伝送レートを高く割り当てる処理の時間をさらに短縮することができる結果、基地局にかかる処理負荷をさらに軽減することが可能である。
【実施例４】
【０１０６】
さて、これまで本発明の実施例について説明したが、本発明は上述した実施例以外にも
種々の異なる形態にて実施されてよいものである。そこで、（１）伝送レート比較に利用されるデータ、（２）電力制御装置の構成、において異なる実施例を説明する。
【０１０７】
（１）伝送レート比較に利用されるデータ
上記実施例１〜実施例３では、伝送レート比較部３３による伝送レート比較処理を、端末番号「１」である端末＃１から比較していく場合を説明したが、当該伝送レート比較処理の順序は上記に限定されるものではない。
【０１０８】
また、上記実施例１〜実施例３では、電力制御装置１０が伝送レートを算出して、算出された伝送レートに基づいて比較処理および電力制御処理を実施することとして説明したが、本件はこれに限定されるものではなく、予め記憶された伝送レートに基づいて比較処理および電力制御処理を実施することもできる。
【０１０９】
（２）電力制御装置の構成
上記文書中や図面中で示した処理手順、制御手順、具体的名称、各種のデータやパラメタを含む情報（例えば、図６に示した「最小伝送レート記憶部２２」に記憶されるデータなど）については、特記する場合を除いて任意に変更することができる。
【０１１０】
例えば、上記文書中では、伝送優先順位ごとの最小伝送レートと、伝送優先順位以上における最小伝送レートとを記憶する最小伝送レート記憶部２２として説明したが、伝送優先順位以上における最小伝送レートのみを記憶する最小伝送レート記憶部２２としても良い。
【０１１１】
また、図示した各装置の各構成要素は機能概念的なものであり、必ずしも物理的に図示の如く構成されていることを要しない。すなわち、各装置の分散・統合の具体的形態は図示のものに限られず、例えば、伝送レート算出部３１と、伝送優先順位判定部３２とを、伝送レートを算出して、伝送レートを算出された端末の伝送優先順位を判定する「端末情報特定部」として統合するなど、その全部または一部を、各種の負担や使用状況などに応じて、任意の単位で機能的または物理的に分散・統合することができる。さらに、各装置にて行われる各処理機能は、その全部または任意の一部が、ＣＰＵおよび当該ＣＰＵにて解析実行されるプログラムにて実現され、あるいは、ワイヤードロジックによるハードウェアとして実現され得る。
【０１１２】
以上の実施例１〜実施例４を含む実施形態に関し、更に以下の付記を開示する。
【０１１３】
（付記１）複数の端末から基地局に対するデータ伝送の優先順位である伝送優先順位が処理対象端末よりも高い端末の伝送レートと、当該処理対象端末の伝送レートとを比較する伝送レート比較処理を、各端末を処理対象として実施する伝送レート比較工程と、
前記伝送レート比較工程によって比較された結果に基づいて、前記伝送優先順位が高い端末ほど伝送レートが高くなるように、前記複数の端末から基地局に送信できる電力である許容送信電力を制御する電力制御工程と、
を含んだことを特徴とする電力制御方法。
【０１１４】
（付記２）前記伝送レート比較工程は、前記伝送優先順位が処理対象端末よりも高い端末における前記伝送優先順位ごとの最小伝送レートと、当該処理対象端末の伝送レートとを比較する伝送レート比較処理を、各端末を処理対象として実施することを含んだことを特徴とする付記１に記載の電力制御方法。
【０１１５】
（付記３）前記伝送レート比較工程は、前記伝送優先順位が処理対象端末よりも高い端末における最小伝送レートと、当該処理対象端末の伝送レートとを比較する伝送レート比較処理を、各端末を処理対象として実施することを含んだことを特徴とする付記１に記載の電力制御方法。
【０１１６】
（付記４）前記複数の端末から基地局に対する伝送レートを算出する伝送レート算出工程と、
前記伝送優先順位に対応付けて、前記複数の端末ごとに、前記伝送レート算出工程によって算出された伝送レートを第一の記憶部に格納する伝送レート格納工程と、をさらに含み、
前記伝送レート比較工程は、前記伝送レート格納工程によって第一の記憶部に格納された伝送優先順位が、前記処理対象端末よりも高い端末の伝送レートと、当該処理対象端末の伝送レートとを比較する伝送レート比較処理を、各端末を処理対象として実施することを含んだことを特徴とする付記１に記載の電力制御方法。
【０１１７】
（付記５）前記複数の端末から基地局に対する伝送レートを算出する伝送レート算出工程と、
前記伝送優先順位に対応付けて、当該伝送優先順位ごとの最小伝送レートを第二の記憶部に格納する最小伝送レート格納工程と、をさらに含み、
前記伝送レート比較工程は、前記第二の記憶部に格納された伝送優先順位が、前記処理対象端末よりも高い端末における前記伝送優先順位ごとの最小伝送レートと、当該処理対象端末の伝送レートとを比較する伝送レート比較処理を、各端末を処理対象として実施することを含んだことを特徴とする付記１に記載の電力制御方法。
【０１１８】
（付記６）前記最小伝送レート格納工程は、前記伝送優先順位に対応付けて、当該伝送優先順位以上の端末における最小伝送レートを第二の記憶部にさらに格納し、
前記伝送レート比較工程は、前記第二の記憶部に格納された伝送優先順位が、前記処理対象端末よりも高い端末における最小伝送レートと、当該処理対象端末の伝送レートとを比較する伝送レート比較処理を、各端末を処理対象として実施することを含んだことを特徴とする付記５に記載の電力制御方法。
【０１１９】
（付記７）複数の端末から基地局に対するデータ伝送の優先順位である伝送優先順位が処理対象端末よりも高い端末の伝送レートと、当該処理対象端末の伝送レートとを比較する伝送レート比較処理を、各端末を処理対象として実施する伝送レート比較手段と、
前記伝送レート比較手段によって比較された結果に基づいて、前記伝送優先順位が高い端末ほど伝送レートが高くなるように、前記複数の端末から基地局に送信できる電力である許容送信電力を制御する電力制御手段と、
を有することを特徴とする電力制御装置。
【図面の簡単な説明】
【０１２０】
【図１】実施例１に係る電力制御装置の概要を説明するための図である。
【図２】実施例１に係る電力制御装置の構成を示す図である。
【図３】実施例１に係る伝送レート記憶部に記憶される情報の例を示す図である。
【図４】実施例１に係る処理対象端末の伝送優先順位が「Ａ」である場合に比較される端末の伝送レートを説明するための図である。
【図５】実施例１に係る電力制御処理の流れを示すフローチャートである。
【図６】実施例２に係る電力制御装置の構成を示す図である。
【図７】実施例２に係る最小伝送レート記憶部に記憶される情報の例を示す図である。
【図８】実施例２に係る処理対象端末の伝送優先順位が「Ａ」である場合に比較される端末の伝送レートを説明するための図である。
【図９】実施例２に係る電力制御処理の流れを示すフローチャートである。
【図１０】実施例３に係る最小伝送レート記憶部に記憶される情報の例を示す図である。
【図１１】実施例３に係る処理対象端末の伝送優先順位が「Ａ」である場合に比較される端末の伝送レートを説明するための図である。
【図１２】実施例３に係る電力制御処理の流れを示すフローチャートである。
【符号の説明】
【０１２１】
１０  電力制御装置
２０  記憶部
２１  伝送レート記憶部
２２  最小伝送レート記憶部
３０  制御部
３１  伝送レート算出部
３２  伝送優先順位判定部
３３  伝送レート比較部
３４  電力制御部
３５  最小伝送レート抽出部
【図１】
2010021655.tif 000003
【図２】
2010021655.tif 000004
【図３】
2010021655.tif 000005
【図４】
2010021655.tif 000006
【図５】
2010021655.tif 000007
【図６】
2010021655.tif 000008
【図７】
2010021655.tif 000009
【図８】
2010021655.tif 000010
【図９】
2010021655.tif 000011
【図１０】
2010021655.tif 000012
【図１１】
2010021655.tif 000013
【図１２】
2010021655.tif 000014